(57)【要約】【課題】原稿全体の画像読取速度の向上と画像処理速度の向上を図りながら、文字の可読性の向上させることができるようにする。【解決手段】本発明に係る画像読取装置は、原稿の画像を読み取る読取部と、読取部により読み取られた原稿画像から検出した文字画像に基づいて、可読性の低い文字画像を検出する文字検出部と、文字検出部により検出された可読性の低い文字画像に対して所定の補正処理を行う文字補正部とを備えることを特徴とする。【選択図】      図１
2017017393.tif 000002
【特許請求の範囲】
【請求項１】
原稿の画像を読み取る読取部と、
前記読取部により読み取られた原稿画像から検出した文字画像に基づいて、可読性の低い文字画像を検出する文字検出部と、
前記文字検出部により検出された前記可読性の低い文字画像に対して所定の補正処理を行う文字補正部と
を備えることを特徴とする画像読取装置。
【請求項２】
前記読取部が、
第１の解像度で前記原稿全体を読み取り、
前記文字検出部により原稿画像から検出された文字画像の位置に基づいて、所定の文字画像を含む領域を、前記第１の解像度より高い第２の解像度で読み取る
ことを特徴とする請求項１に記載の画像読取装置。
【請求項３】
前記読取部が、前記原稿に対して相対移動により前記原稿を読み取るものであり、第１の読取の際に、第１の解像度で前記原稿全体を読み取り、第２の読取の際に、前記第２の解像度で前記所定の文字画像を含む領域を読み取ることを特徴とする請求項２に記載の画像読取装置。
【請求項４】
前記読取部が、前記原稿に対して往復走行して前記原稿を読み取るものであり、往路走行のときに、第１の解像度で前記原稿全体を読み取り、復路走行のときに、前記第２の解像度で前記所定の文字画像を含む領域を読み取ることを特徴とする請求項３に記載の画像読取装置。
【請求項５】
前記読取部が、
原稿を載置する原稿台と、
前記原稿に対して相対移動するものであって、前記原稿台上の前記原稿を読み取るセンサユニット
を備え、
前記所定の文字画像を含む領域を読み取る際、前記センサユニットの移動速度が、他の領域の移動速度より遅いことを特徴とする請求項３又は４に記載の画像読取装置。
【請求項６】
前記文字検出部が、
第１解像度で読み取った原稿画像に含まれている同色の所定数の文字画像の位置を特定する文字位置検出手段と、
前記文字位置検出手段により検出された前記所定数の文字画像のエッジの第１種明度値を用いて算出した各文字画像の平均濃度値に基づいて、各文字画像の平均濃度の平均値を算出する第１平均値算出部と、
前記第１解像度よりも高い第２解像度で読み取った、前記所定数の文字画像のエッジの第２種明度値を用いて算出した各文字画像の最大濃度値に基づいて、各文字画像の最大濃度平均値を算出する第２平均値算出部と、
前記各文字画像の平均濃度の平均値と、前記各文字画像の最大濃度平均値とに基づいて、文字画像にトナーセーブがなされているか否かを検出するトナーセーブ検出部と
を備えることを特徴とする請求項１〜５のいずれかに記載の画像読取装置。
【請求項７】
前記トナーセーブ検出部が、前記各文字画像の平均濃度の平均値と、前記各文字画像の最大濃度平均値との減算結果と、閾値との比較結果に基づいて、文字画像にトナーセーブがなされているか否かを検出するものであることを特徴とする請求項６に記載の画像読取装置。
【請求項８】
前記補正部が、前記各文字画像の平均濃度の平均値と、前記各文字画像の最大濃度平均値とを用いて算出したトナーセーブ率に基づいて、トナーセーブのなされている前記文字画像に対して補正を行うことを特徴とする請求項１〜７のいずれかに記載の画像読取装置。
【請求項９】
請求項１〜８のいずれかに記載の画像読取装置からの画像データに基づく画像を、記録媒体に形成することを特徴とする画像形成装置。
【発明の詳細な説明】
【技術分野】
【０００１】
本発明は、画像読取装置及び画像形成装置に関するものである。
【背景技術】
【０００２】
例えば、印刷装置の動作モードの１つとして、現像剤の使用量を抑えて印刷するトナーセーブモードがある。トナーセーブモードで印刷されると、印刷物の文字濃度は低く、文字は薄くなる。このような文字濃度の薄い原稿の画像を画像読取装置が読み取ると、文字の可読性に問題が生じ得る。
【０００３】
特許文献１の記載技術は、文字濃度の低い文字の可読性を向上させるため、読み取った原稿画像から文字エッジを検出し、かつ文字エッジの周囲の網点領域を検出し、かつ画像の濃度が閾値未満であるときに、画像がトナーセーブされていると判定する。そして、トナーセーブと判定したとき、補正手段が、画像に対して墨量を増加させる補正処理を行う。
【先行技術文献】
【特許文献】
【０００４】
【特許文献１】特開２０１４−８７００９号公報
【発明の概要】
【発明が解決しようとする課題】
【０００５】
しかしながら、従来の画像読取装置は、トナーセーブされているか否かを判定するために、高解像度で原稿を読み取りする必要がある。そのため、原稿の読み取り速度が遅くなるという問題が生じ得る。また、高解像度で原稿を読み取るため、データ量が膨大となり、画像処理速度も遅くなるという問題が生じ得る。
【課題を解決するための手段】
【０００６】
上記課題を解決するために、第１の本発明に係る画像読取装置は、（１）原稿の画像を読み取る読取部と、（２）読取部により読み取られた原稿画像から検出した文字画像に基づいて、可読性の低い文字画像を検出する文字検出部と、（３）文字検出部により検出された可読性の低い文字画像に対して所定の補正処理を行う文字補正部とを備えることを特徴とする。
【０００７】
第２の本発明に係る画像形成装置は、第１の本発明に係る画像読取装置から取得した画像データに基づく画像を記録媒体に形成することを特徴とする。
【発明の効果】
【０００８】
本発明によれば、画像濃度の低い原稿を読み取る際に、所定数の文字のみを高解像度で読み取みとりトナーセーブを検出するため、原稿全体の画像読取速度の向上と画像処理速度の向上を図りながら、文字の可読性の向上させることができる。
【図面の簡単な説明】
【０００９】
【図１】実施形態に係る複合機の制御系の構成を示すブロック図である。
【図２】実施形態に係る複合機の内部に搭載される構成を示す構成図である。
【図３】実施形態に係る画像読取装置のセンサユニットの構成を示す構成図である。
【図４】実施形態に係る画像読取装置がトナーセーブ検出を実施する際に、センサユニットの往復走行ルートを説明する説明図である。
【図５】実施形態に係るトナーセーブ検出モードがＯＦＦ設定の場合の画像データの流れを示す図である。
【図６】実施形態に係るトナーセーブ検出モードがＯＮ設定の場合の画像データの流れを示す図である。
【図７】実施形態に係る読取部の詳細な構成を示すブロック図である。
【図８】実施形態に係る第１平均値算出部の詳細な構成を示すブロック図である。
【図９】実施形態に係る第２平均値算出部の詳細な構成を示すブロック図である。
【図１０】実施形態に係るトナーセーブ検出部の詳細な構成を示すブロック図である。
【図１１】トナーセーブの有無検出に係る検出条件を示す図である。
【図１２】実施形態に係る補正部の詳細な構成を示すブロック図である。
【図１３】実施形態に係る補正部の画像補正方法を説明する説明図である。
【図１４】実施形態に係る複合機においてカラーコピーをする場合のトナーセーブ検出処理及び補正処理を示すフローチャートである。
【発明を実施するための形態】
【００１０】
（Ａ）主たる実施形態
以下では、本発明に係る画像読取装置及び画像形成装置の主たる実施形態を、図面を参照しながら詳細に説明する。
【００１１】
この実施形態は、少なくとも画像読取装置及び画像形成装置を備える複合機（ＭＦＰ：Ｍｕｌｔｉ  Ｆｕｎｃｔｉｏｎ  Ｐｅｒｉｐｈｅｒａｌ）に、本発明を適用する場合を例示する。
【００１２】
（Ａ−１）実施形態の構成
（Ａ−１−１）複合機の構成
図２は、実施形態に係る複合機の内部に搭載される構成を示す構成図である。図２において、実施形態に係る複合機１は、大別して、画像読取装置２と、画像形成装置３とを有する。
【００１３】
複合機１は、原稿画像を読み取る画像読取機能、読み取られた画像データに基づく画像形成機能などを備えるものである。この実施形態では、複合機１が画像読取機能及び画像形成機能を有する場合を例示する。しかし、複合機１は、通信機能、ファクシミリ機能等を備えるものであっても良い。複合機１は、複合機本体の上部に画像読取装置２を備え、複合機本体の下部に画像形成装置３を備える。
【００１４】
（Ａ−１−２）画像読取装置の構成
画像読取装置２は、原稿の画像データを読み取るものである。画像読取装置２は、読み取った画像データを画像形成装置３に与える。
【００１５】
図２に示すように、画像読取装置２は、フラットベッド部（以下、Ｆｌａｔ  Ｂｅｄ（ＦＢ）部とも呼ぶ。）４を有する。
【００１６】
ＦＢ４は、トップカバー部８３、原稿Ｐを載置する原稿台８４、白基準板８５、原稿台８４を形成するコンタクトガラス８６、プーリ８９、搬送ベルト９０、例えばステップモータ等の駆動部としてのモータ９１、搬送ベルト９０に固定されたセンサユニット８７、センサユニット８７の位置を検知するホームセンサ８８及び１８８を有する。なお、図２には図示してないが、ＦＢ４は白基準板１９７も有する。
【００１７】
ホームセンサ８８は、センサユニット８７が所定の位置（第１ホーム位置）に移動したことを検出するものである。
【００１８】
搬送ベルト９０は、モータ９１とプーリ８９とにより張架され、モータ９１の正回転又は逆回転により、センサユニット８７をコンタクトガラス８６に沿って往復移動させるように構成されている。
【００１９】
センサユニット８７は、モータ９１の正回転に伴って動作する搬送ベルト９０により、原稿台８４に沿って移動し、この原稿台８４上に載置した原稿Ｐを走査して原稿のアナログデータを得るものである。なお、センサユニット８７の詳細な構成の説明については図３を用いて後述する。また、トナーセーブ検出時に、センサユニット８７の往復ルートの詳細な説明については、図４を用いて後述する。
【００２０】
白基準板８５は、シェーディング補正時に、センサユニット８７の撮像素子の白基準データを得るために、センサユニット８７により読み取られるものである。白基準板８５は、コンタクトガラス８６上の原稿台８４の読み取り範囲外に配置されている。センサユニット８７は、原稿Ｐを読み取る前に、白基準板８５を読み取って原稿Ｐに対するシェーディング用のデータを取得する。ここで、シェーディング補正とは、センサユニット８７内の撮像素子が出力する電圧のばらつきを平滑化する補正処理をいう。
【００２１】
ホームセンサ１８８は、原稿Ｐの読み取りの際に、センサユニット８７の最大移動位置（第２ホーム位置）を検出するものである。ホームセンサ１８８は、原稿Ｐの読み取り範囲であって、原稿Ｐの端部よりも余裕を持った位置に配置されている。
【００２２】
この実施形態では、トナーセーブ検出を実施する際、ホームセンサ１８８によりセンサユニット８７を検出すると、モータ９１の逆回転によって、センサユニット８７が、第２ホーム位置から第１ホーム位置に向けて戻りながら、高解像度で原稿Ｐ上の所定数の文字を読み取る。トナーセーブ検出を実施する際に、センサユニット８７が読み取る文字数は、特に限定されるものではない。この実施形態では、所定数の文字が「１０個の文字」である場合を例示する。
【００２３】
白基準板１９７は、トナーセーブ検出を実施する際に、センサユニット８７の撮像素子の白基準データを得るために、センサユニット８７により読み取られるものである。白基準板１９７は、基本的には白基準板８５と同じ材質ものを適用できる。白基準板１９７は、原稿Ｐの端部とホームセンサ１８８との間に配置される。つまり、センサユニット８７は、所定数の文字（例えば１０個の文字）を読み取る前に、高解像度で文字を読み取るために、白基準板１９７の白基準データを読み取り、シェーディング用のデータを取得する。
【００２４】
（Ａ−１−３）画像形成装置の構成
画像形成装置３は、入力された画像データに基づく画像を、記録媒体としての用紙上に形成するものである。この実施形態では、画像形成装置３が、電子写真方式を採用したカラープリンタである場合を例示する。
【００２５】
図２において、画像形成装置３は、用紙収容カセット９２、ホッピングローラ９４、ホッピングローラ９４、ホッピングローラ９５、レジストローラ９７、ピンチローラ９６、用紙搬送経路９８、センサ９９、レジストローラ１０１、ピンチローラ１００、センサ１０２、レジストローラ１０４、ピンチローラ１０３、レジストモータ１０５、センサ１０６、従動ローラ１１１、駆動ローラ１１２、搬送ベルト１１３、画像形成ユニットＣ、Ｍ、Ｙ、Ｋ、露光部としてのＬＥＤ（Ｌｉｇｈｔ  Ｅｍｉｔｔｉｎｇ  Ｄｉｏｄｅ）ヘッド１３４、１３３、１３２、１３１、転写ローラ１２４、１２３、１２２、１１０、ベルトモータ１３０、定着モータ１１４、定着装置としての定着ユニット１１５が有する加圧ローラ１１６及びヒートローラ１１７、センサ１１８、ピンチローラ１１９、排出ローラ１２０、スタッカ１２１を有する。
【００２６】
なお、画像形成装置３は、図２に示す構成に限定されておらず、例えば、搬送ベルト１１３の下面部を従動ローラ１１１と挟むように配設されたクリーニングブレード、このクリーニングプレードにより掻き落とした廃トナーが落下する位置に配設された廃トナータンク、搬送ベルト１１３の下面部と対向する位置に非接触で配設された濃度センサを有するようにしても良い。
【００２７】
用紙収容カセット９２は、画像形成装置３の下部に、着脱自在に装着され、用紙９３を収容するものである。
【００２８】
ホッピングローラ９４は、用紙収容カセット９２の上部に配設されている。ホッピングローラ９４は、用紙収容カセット９２に収容されている用紙９３を最上部から１枚ずつ捌いて、用紙９３を用紙搬送経路９８に送り出すものである。ホッピングローラ９４は、ホッピングモータ９５に接続しており、ホッピングモータ９５から供給された駆動力により回転する。ホッピングローラ９４は、図示しない分離手段により分離された用紙９３をレジストローラ９７に搬送する。
【００２９】
用紙搬送経路９８は、ホッピングローラ９４を始点とし、排出ローラ１２０を終点とする略Ｓ字形状に形成された搬送経路である。
【００３０】
レジストローラ９７は、レジストモータ１０５に接続されており、レジストモータ１０５から供給された駆動力により回転して、用紙９３を搬送する。レジストローラ９７は、ピンチローラ９６と対向して圧接するように配設されており、レジストローラ９７の回転により、用紙９３の斜行を矯正しながら、用紙９３を搬送する。
【００３１】
センサ９９は、レジストローラ９７から搬送されてきた用紙９３を検出し、用紙９３の位置を検出するものである。
【００３２】
レジストローラ１０１は、レジストモータ１０５に接続されており、レジストモータ１０５から供給された駆動力により回転して、用紙９３を搬送する。レジストローラ１０１は、ピンチローラ１００と対向して圧接するように配設されており、レジストローラ１０１の回転により、用紙９３の斜行を矯正しながら、用紙９３を搬送する。
【００３３】
センサ１０２は、レジストローラ１０１から搬送されてきた用紙９３を検出し、用紙９３の位置を検出するものである。
【００３４】
レジストローラ１０４は、レジストモータ１０５に接続されており、レジストモータ１０５から供給された駆動力により回転して、用紙９３を搬送する。レジストローラ１０４は、ピンチローラ１０３と対向して圧接するように配設されており、レジストローラ１０４の回転により、用紙９３の斜行を矯正しながら、用紙９３を搬送する。
【００３５】
搬送ベルト１１３は、帯電した用紙９３を静電吸着して、用紙搬送経路９８に沿って、用紙９３を搬送するベルトである。搬送ベルト１１３は、駆動ローラ１１２と、従動ローラ１１１とにより張架されており、駆動ローラ１１２の回転により、搬送ベルト１１３は回動する。
【００３６】
駆動ローラ１１２は、ベルトモータ１３０に接続されており、ベルトモータ１３０から供給された駆動力により回転して、搬送ベルト１１３を矢印ｅ方向に回転させるものである。従動ローラ１１１は、搬送ベルト１１３の回転に従動するものである。
【００３７】
画像形成ユニットＫ、Ｙ、Ｍ、Ｃはそれぞれ、ブラック（Ｋ）、黄（Ｙ）、マゼンタ（Ｍ）、シアン（Ｃ）の各色の現像剤としてのトナーを用いて、画像を用紙９３上に形成するものである。画像形成ユニットＫ、Ｙ、Ｍ、Ｃはそれぞれ、例えば、ＬＥＤヘッドによる露光処理を行う電子写真方式を採用した画像形成装置である。画像形成ユニットＫ、Ｙ、Ｍ、Ｃはそれぞれ、用紙搬送経路９８の下流側から上流側にかけて搬送ベルト１１３上に着脱自在に装着される。
【００３８】
ここで、画像形成ユニットＫ、Ｙ、Ｍ、Ｃは、いずれも同一の構成を有しており、装着されるトナーカートリッジのトナーの色のみが異なる。そこで、ここでは、画像形成ユニットＫ、Ｙ、Ｍ、Ｃを代表して、ブラック（Ｋ）のトナーを持つ画像形成ユニットＫの構成を例示する。
【００３９】
画像形成ユニットＫは、ブラック（Ｋ）のトナーを収容するトナーカートリッジ１０７と、ドラムカートリッジ１０８とを有している。
【００４０】
トナーカートリッジ１０７は、ドラムカートリッジ１０８上に着脱自在に装着されている。
【００４１】
ドラムカートリッジ１０８の詳細な内部構成は図２には図示しないが、既存の画像形成ユニットのドラムカートリッジの構成要素を有する。例えば、ドラムカートリッジ１０８は、ドラムカートリッジ１０８のフレームに対して回転自在に支持された像担持体としての感光体ドラム１０９と、感光体ドラム１０９の表面に所定の圧接量を持って配設されて感光体ドラム１０９の表面を一様均一に帯電させる帯電ローラと、感光体ドラム１０９の表面に所定の圧接量を持って配設されて感光体ドラム１０９の表面に形成された静電潜像にトナーを供給する現像ローラと、現像ローラの表面に所定の圧接量を持って配設されて現像ローラにトナーを供給するトナー供給ローラと、感光体ドラム１０９表面近傍に配設されて感光体ドラム１０９表面を除電する除電部等を有する。
【００４２】
画像形成ユニットＫ、Ｙ、Ｍ、Ｃはそれぞれ、図示しないドラムリフトアップ機構と接続される。このドラムリフトアップ機構は、駆動源としての図示しないリフトアップモータと接続される。
【００４３】
例えば、カラー印刷ときに、図示しないリフトアップモータがドラムリフトアップ機構を駆動して、画像形成ユニットＫ、Ｙ、Ｍ、Ｃのそれぞれを搬送ベルト１１３に向けて下降させ、カラー印刷が可能な状態になる。
【００４４】
また例えば、モノクロ印刷ときに、図示しないリフトアップモータがドラムリフトアップ機構を駆動して、画像形成ユニットＫのみを搬送ベルト１１３に向けて下降させ、モノクロ印刷が可能な状態になる。
【００４５】
ＬＥＤヘッド１３１、１３２、１３３、１３４はそれぞれ、取得した画像データ（画像信号）に基づいて、画像形成ユニットＫ、Ｙ、Ｍ、Ｃのそれぞれの感光体ドラム１０９の表面に光を照射して静電潜像を形成する露光装置である。ＬＥＤヘッド１３１、１３２、１３３、１３４はそれぞれ、画像形成ユニットＫ、Ｙ、Ｍ、Ｃが備える感光体ドラム１０９の表面に照射される光が結像する位置に配設される。
【００４６】
ＬＥＤヘッド１３１、１３２、１３３、１３４はそれぞれ、ＬＥＤアレイ、このアレイを駆動させる図示せぬドライブＩＣ（Ｉｎｔｅｇｒａｔｅｄ  Ｃｉｒｃｕｉｔ）、画像データを保持するレジスタ群を搭載した図示せぬ基板、及びＬＥＤアレイの光を集光する図示せぬレンズアレイ等を有する。
【００４７】
例えば、画像形成ユニットＫの感光体ドラム１０９を露光するＬＥＤヘッド１３１には、カラー画像信号又はモノクロ画像信号に含まれるブラック（Ｋ）の画像信号が入力される。また、ＬＥＤヘッド１３２、１３３、１３４には、カラー画像信号の中で黄（Ｙ）、マゼンタ（Ｍ）、シアン（Ｃ）画像信号のそれぞれが入力される。
【００４８】
なお、この実施形態では、露光方式がＬＥＤ方式の場合を例示する。しかし、露光方式は、ＬＥＤ方式に限定されるものではなく、レーザ方式を用いるものであっても良い。
【００４９】
転写ローラ１１０、１２２、１２３、１２４はそれぞれ、各画像形成ユニットＫ、Ｙ、Ｍ、Ｃの感光体ドラム１０９の表面に形成されたトナー像を、用紙９３に移すものである。転写ローラ１１０、１２２、１２３、１２４はそれぞれ、搬送ベルト１１３を介して、画像形成ユニットＫ、Ｙ、Ｍ、Ｃのそれぞれの感光体ドラム１０９と圧接するように配設される。転写ローラ１１０、１２２、１２３、１２４のそれぞれには、例えば、高圧電源からバイアス電圧が印加されており、各感光体ドラム１０９の表面に形成されたトナー画像を、所定のタイミングで用紙９３にそれぞれ転写させる。
【００５０】
定着ユニット１１５は、用紙９３上に移されたトナー像を、加熱及び加熱して用紙９３に定着させるものである。定着ユニット１１５は、ヒートローラ１１７と、加圧ローラ１１６とを有する。
【００５１】
ヒートローラ１１７は、加熱部材である。例えば、ヒートローラ１１７の内部には、加熱部としてのヒータが配設されており、このヒータが加熱することで、ヒートローラ１１７の表面が加熱する。また、ヒートローラ１１７は、定着モータ１１４に接続され、定着モータ１１４から供給した駆動力により回転する。
【００５２】
加圧ローラ１１６は、ヒートローラ１１７と対向して圧接するように配置されており、搬送される用紙９３に圧力を加える。加圧ローラ１１６は、ヒートローラ１１７の回転に連れ回りする。
【００５３】
なお、定着ユニット１１５は、ヒートローラ１１７の表面温度を検出するために、温度検出部としてのサーミスタを有するようにしても良い。サーミスタは、例えばヒートローラ１１７の表面温度を検出するため、ヒートローラ１１７の表面近傍に非接触で配設される。このサーミスタにより検出されたヒートローラ１１７の表面温度信号は、例えば当該画像形成装置３の制御部に入力される。そして、制御部は、サーミスタから取得した表面温度信号に基づいて、ヒートローラ１１７の表面温度を調整するために、ヒートローラ１１７内のヒータのオン／オフを制御する。
【００５４】
センサ１１８は、用紙搬送経路９８における定着ユニット１１５の後段に配置されており、用紙９３の位置を検出する。センサ１１８は、定着ユニット１１５における用紙９３のジャム（例えば搬送ジャム等）や、ヒートローラ１１７への用紙９３の巻き付き等を監視する排出センサである。
【００５５】
排出ローラ１２０は、定着モータ１１４に接続され、定着モータ１１４から供給した駆動力により回転し、定着ユニット１１５から搬送してきた用紙９３を用紙搬送経路９８に沿ってスタッカ１２１まで排出する。排出ローラ１２０は、対向して圧接するように配設されたピンチローラ１１９と共に、用紙９３を排出する。
【００５６】
スタッカ１２１は、画像形成装置３の筐体外面を利用して形成されており、排出された用紙９３を載置するものである。
【００５７】
（Ａ−１−４）センサユニット８７の詳細な構成及び走行処理
次に、この実施形態に係る画像読取装置２のセンサユニット８７の構成を説明する。
【００５８】
図３は、実施形態に係る画像読取装置２のセンサユニット８７の構成を示す構成図である。
【００５９】
この実施形態では、センサユニット８７が、密着イメージセンサ（Ｃｏｎｔａｃｔ  Ｉｍａｇｅ  Ｓｅｎｓｏｒ；以下「ＣＩＳ」と呼ぶ。）ユニットを用いる場合を例示する。
【００６０】
センサユニット８７は、ＬＥＤ光源１５０と、光学系を構成する導光板１４９及びロッドレンズ１４８と、ＣＩＳ１４７とを有する。
【００６１】
図３において、センサユニット８７の長手方向は主走査方向Ｘであり、短手方向は副走査方向Ｙ´である。
【００６２】
ＣＩＳ１４７は、複数の撮像素子で構成される。ＣＩＳ１４７は、センサユニット８７の長手方向である主走査方向Ｘに並べられ、主走査方向Ｘにおける白基準板８５及び原稿Ｐの１ラインを読み取ることができるように構成されている。ＣＩＳ１４７を構成する複数の撮像素子のそれぞれは、読み取った白基準板８５及び原稿Ｐのデータの主走査方向の各画素ｐｘに対応している。
【００６３】
ＬＥＤ光源１５０は、それぞれ異なった発光色光Ｌを発光する複数の発光素子である発光ダイオード（以下、「ＬＥＤ」と呼ぶ。）を有している。
【００６４】
この実施形態では、ＬＥＤ光源１５０は、赤（以下「Ｒ」という。）、緑（以下「Ｇ」という。）、青（以下「Ｂ」という。）の３個のＬＥＤを有する場合を例示する。すなわち、ＬＥＤ光源１５０は、Ｒ色を発光するＲＬＥＤ１と、Ｇ色を発光するＧＬＥＤ１と、Ｂ色を発光するＢＬＥＤ１とを有する。
【００６５】
なお、以下では、ＲＬＥＤ１から発光する発光色光のＬは「Ｌｒ」という。ＧＬＥＤ１から発光する発光色光のＬは「Ｌｇ」という。ＢＬＥＤ１から発光する発光色光のＬは「Ｌｂ」という。
【００６６】
画像読取装置２において、原稿Ｐを読み取るとき、前記３個のＬＥＤ（ＲＬＥＤ１、ＧＬＥＤ１、ＢＬＥＤ１）によりそれぞれ発光された発光色光Ｌｒ、Ｌｇ、Ｌｂは、導光板１４９を介して、白基準板８５又は原稿Ｐへ到達する。また、白基準板８５又は原稿Ｐから反射した色光Ｌｒ、Ｌｇ、Ｌｂの反射光は、ロッドレンズ１４８を介してＣＩＳ１４７に導かれて、ＣＩＳ１４７が各反射光の光信号を受光して、ＣＩＳ１４７が、それぞれの光信号を、電気的なアナログ信号（アナログデータ）に変換する。
【００６７】
なお、ＲＬＥＤ１によって取得したアナログデータは「アナログデータＲ」という。ＧＬＥＤ１によって取得したアナログデータは「アナログデータＧ」という。ＢＬＥＤ１によって取得したアナログデータは「アナログデータＢ」という。
【００６８】
１つ撮像素子（画素ｐｘ）により取得したアナログデータは、アナログデータ（Ｒ、Ｇ、Ｂ）３種を有している。
【００６９】
図４は、実施形態に係る画像読取装置２がトナーセーブ検出を実施する際に、センサユニット８７の往復走行ルートを説明する説明図である。
【００７０】
図４に示すように、センサユニット８７がトナーセーブ検出を実施するときの、センサユニット８７の走行ルートを説明する。ここでは、センサユニット８７が、第１ホーム位置から第２ホーム位置に向けた往路ルートを走行するときの処理と、第２ホーム位置から第１ホーム位置に向けた復路ルートを走行するときの処理を説明する。
【００７１】
（往路ルート）
センサユニット８７がトナーセーブ検出を実施する際、センサユニット８７は、副走査方向Ｙ’に沿って、第１ホーム位置から第２ホーム位置に向けて移動する。このとき、センサユニット８７は、ＦＢ４の原稿台８４に載置されている原稿Ｐ全体を、低解像度で読み取る。
【００７２】
すなわち、センサユニット８７は、第１ホーム位置から副走査方向Ｙ’に沿って移動して、白基準板８５の位置まで移動する。センサユニット８７が白基準板８５の下に到達すると、センサユニット８７は、低解像度で白基準板８５を読み取る。
【００７３】
ここで、低解像度とは、センサユニット８７が復路ルートで走行する際に、画像読み取りを行う解像度よりも低い解像度である。解像度の程度は、画像読取処理及び画像処理等の負荷や処理速度に影響を及ぼす。そのため、どの程度の解像度とするかは任意に設定、選択、変更できる。しかし、画像読取処理及び画像処理等の負荷や処理速度に応じて決定された解像度であって、かつ、復路ルートでセンサユニット８７が読み取る解像度よりも低いものであれば、適宜、解像度の程度を用いることができる。
【００７４】
センサユニット８７は、さらに副走査方向Ｙ’に沿って移動して、低解像度で原稿Ｐを読み取る。すなわち、センサユニット８７が低解像度で原稿Ｐを読み取ることで、画像読取処理及び画像処理に係る負荷や処理速度を軽減することができる。
【００７５】
そして、センサユニット８７がホームセンサ１８８まで移動し、ホームセンサ１８８によりセンサユニット８７が検知されると、モータ９１は逆回転する。モータ９１が逆回転することにより、センサユニット８７が復路ルートへの走行に切り替えられる。
【００７６】
（復路ルート）
次に、センサユニット８７が、第２ホーム位置から第１ホーム位置に向けた復路ルートを走行するときの処理を説明する。
【００７７】
センサユニット８７は、逆回転するモータ９１からの駆動力が供給されて、第２ホーム位置ｈ０から白基準板１９７の位置ｈ１までの固定走行距離Ｌ０を、移動する。このとき、モータ９１は、所定の加速度で加速する駆動力を、センサユニット８７に供給する。これは、センサユニット８７が、第２ホーム位置ｈ０から白基準板１９７の位置ｈ１まで、なるべく早く移動させるためである。これにより、画像読取に係る時間を短縮できる。なお、モータ９１の回転加速度は、センサユニット８７を迅速に白基準板１９７の位置ｈ１まで移動させることができれば、特に限定されるものではない。
【００７８】
次に、白基準板１９７の位置ｈ１に到達したセンサユニット８７は、白基準板１９７の幅長である位置ｈ１から位置ｈ２までの固定走行距離Ｌ１の間を、一定の速度で移動しながら、高解像度で白基準板１９７を読み取り、シェーディング用のデータを取得する。白基準板１９７の幅長である固定走行距離Ｌ１の間は、センサユニット８７が高解像度で白基準板１９７を読み取るため、モータ９１は、高解像度で画像を読み取りできる一定の速度の駆動力をセンサユニット８７に供給する。
【００７９】
ここで、高解像度とは、往路ルートでセンサユニット８７が原稿Ｐを読み取った解像度よりも高いものである。また、高解像度の程度は、トナーセーブされた原稿上の所定数の文字を高精度に読み取ることができる程度の解像度であり、任意に設定、選択、変更が可能である。
【００８０】
そして、センサユニット８７は、位置ｈ２から、同色の所定数（例えば１０個）の文字のうち１番目の文字付近の位置ｈ３までの可変走行距離Ｌ２を移動する。
【００８１】
このとき、往路ルートで読み取った原稿画像データを用いて、原稿Ｐにおいて、同色の所定数（例えば１０個）の文字を検索し、その検索した所定数の文字のうち、最も第２ホーム位置側にある文字付近の位置ｈ３を特定する。そして、センサユニット８７は、モータ９１の駆動により、白基準板１９７の位置ｈ２から位置ｈ３まで、可変速度で移動する。すなわち、１番目の文字付近の位置ｈ３は読取原稿Ｐに応じて異なる。そのため、センサユニット８７が位置ｈ３までに到達する時間は、可変走行距離Ｌ２の長さに応じて異なる。しかし、画像読取処理に係る処理速度を短縮化するために、モータ９１の回転加速度を所定値とすることで、センサユニット８７が可変速度で位置ｈ２から位置ｈ３までの距離を移動することができる。
【００８２】
位置ｈ３まで到達したセンサユニット８７は、高解像度で、同色の所定数の文字を含む原稿Ｐの領域を読み取る。すなわち、センサユニット８７は、１番目の文字付近の位置ｈ３から、同色の所定数の文字の最後の文字（すなわち、１０個目の文字）付近の位置ｈ４までの固定走行距離Ｌ３の間を、高解像度で読み取り可能な速度（一定の速度）で移動しながら、所定数（例えば１０個）の文字を含む原稿Ｐの領域を読み取る。
【００８３】
その後、センサユニット８７は、位置ｈ４から第１ホーム位置ｈ５までの固定走行距離Ｌ４を移動する。このとき、画像読取処理に係る処理速度を短縮化するために、モータ９１の回転加速度による駆動力を受けて、センサユニット８７が可変速度で位置ｈ４から位置ｈ５までの距離を移動する。
【００８４】
図４において、往路ルートでは、センサユニット８７が低解像度で原稿Ｐ全体を読み取る。これにより、画像読取処理に係る時間を短くすることができる。復路ルートでは、センサユニット８７は、読み取った原稿画像データから同色の所定数の文字を含む領域を高解像度で読み取る。これにより、高解像度で読み取った画像データからトナーセーブ検出に寄与することができると共に、画像読取処理に係る時間を短縮することができる。
【００８５】
可変走行距離Ｌ２は、前記１番目の文字の画像における最後の副走査方向の１ラインの位置によって決められる。この実施形態では、可変走行距離Ｌ２は、後述するＲＯＭ１５（図１参照）に格納されているファームウェアにて計算して取得される。
【００８６】
また、固定走行距離Ｌ３は、事前に文字の常用サイズ（例えば、フォントサイズ１２）と文字の数（１０個）によって決められてＲＯＭ１５（図１参照）に格納されている。例えば、フォントサイズ「１２」より大きいサイズの字があった場合は、文字の所定数は１０個未満になる。
【００８７】
Ｌ３をその文字のサイズで割ることによって決められる。なお、原稿画像から、同色の所定数（１０個）の文字（１０行に同色、各１字）を抽出する方法の詳細な説明は後述する。
【００８８】
（Ａ−１−５）複合機１の制御系の構成
図１は、実施形態に係る複合機１の制御系の構成を示すブロック図である。複合機１は、画像読取装置２と、画像形成装置３とを備えている。
【００８９】
図１において、画像読取装置２は、パス１７、駆動部１８１、読取部６、シェーディング部１５７、明度値算出部８、エッジ検出部３７、第１平均値算出部１８６、第２平均値算出部１８７、トナーセーブ検出部５０、補正部６９、画像処理部１４、操作パネル１６、ＲＡＭ７、ＣＰＵ（中央演算処理装置）５、センサ部１９０、ＲＯＭ１５、インターフェース（Ｉ／Ｆ）部１４６を有する。
【００９０】
なお、「文字検出部」は、シェーディング部１５７、明度値算出部８、エッジ検出部３７、第１平均値算出部１８６、第２平均値算出部１８７、トナーセーブ検出部５０を含むものである。また、「文字補正部」は、補正部６９を含むものである。
【００９１】
また、画像形成装置３は、プリンタ部１８を有している。次に、複合機１の制御系における各要素にについて説明する。
【００９２】
センサ部１９０は、図２のホームセンサ８８及び１８８を含むものである。すなわち、センサ部１９０としてのホームセンサ８８及び１８８からのセンサデータがＣＰＵ５に通知される。
【００９３】
パス１７は、ＣＰＵ５から出力される命令や制御信号やデータを、画像読取装置２の各構成要素に伝達するためのものである。すなわち、画像読取装置２の各構成要素は、パス１７を介してＣＰＵ５に接続されている。
【００９４】
ＣＰＵ５は、画像読取装置２の機能を制御するものである。ＣＰＵ５は、パス１７を介して画像読取装置２の各構成要素に命令や制御信号やデータ等を通知して、各構成要素を制御する。ＣＰＵ５は、ＲＯＭ１５に格納されている各種のプログラムを実行することにより、画像読取装置２全体の機能を制御する。
【００９５】
ＲＯＭ１５は、画像読取装置２全体を制御する制御プログラムやその画像処理用のアルゴリズムや閾値等を格納する。ＲＯＭ１５は、例えば不揮発性メモリ等を用いることができる。
【００９６】
また、ＲＯＭ１５は、トナーセーブ検出を実施するために、センサユニット８７により低解像度で読み取った原稿画像から、同色の所定数の文字（例えば、１０個の文字：１０行に同色、各１個字）を抽出する文字抽出プログラムを格納する。
【００９７】
ＲＡＭ７は、プログラム実行に必要なデータを一時的に格納する揮発性的な記憶部である。
【００９８】
操作パネル１６は、ユーザ操作により動作指示を受け付けたり、又は複合機１の動作状態を表示したりするものである。操作パネル１６は、物理的なキー、タッチパネル方式の操作表示部を含むものである。
【００９９】
操作パネル１６は、例えば、トナーセーブ検出モードをＯＮ又はＯＦＦするトナーセーブ検出モードＯＮ／ＯＦＦ設定ボタンを有する。このトナーセーブ検出モードＯＮ／ＯＦＦ設定ボタンは、例えばタッチパネル方式の操作パネル１６の表示画面上に表れるものであっても良いし、操作パネル１６上に物理的なキーとして設けられるものであっても良い。
【０１００】
なお、トナーセーブ検出モードは、例えば原稿Ｐの読み取り前に、ユーザによりトナーセーブ検出モードＯＮ／ＯＦＦ設定ボタンのＯＮ設定がなされたときに、トナーセーブ検出が実施されるようにしても良い。また、トナーセーブ検出モードのデフォルト設定としてＯＦＦ設定されている場合には、原稿Ｐを読み取る時に、トナーセーブ検出を実施しない。
【０１０１】
駆動部１８１は、図２のモータ９１を駆動するものである。駆動部１８１は、例えば、モータドライバＩＣ、モータドライバＩＣを駆動するドライバ駆動部等を有しており、モータドライバＩＣがモータ９１の回転駆動を制御する。
【０１０２】
読取部６は、センサユニット８７により読み取られた白基準板８５又は白基準１９７のデータ（アナログデータ）、センサユニット８７により読み取られた原稿Ｐのデータ（アナログデータ）を、デジタルデータに変換するものである。
【０１０３】
読取部６により低解像度で白基準板８５を読み取って取得した画素毎のアナログデータ（Ｒ、Ｇ、Ｂ）をそれぞれ変換したデジタルデータは、以下「白板データ（Ｒ１、Ｇ１、Ｂ１）」という。ここで、１個の画素データは、白板データ（Ｒ１、Ｇ１、Ｂ１）の３種データがある。
【０１０４】
また、読取部６により低解像度で原稿Ｐを読み取って取得した画素毎のアナログデータ（Ｒ、Ｇ、Ｂ）をそれぞれ変換したデジタルデータは、以下「原稿データ（Ｒ１、Ｇ１、Ｂ１）」という。
【０１０５】
さらに、読取部６により高解像度で白基準板１９７を読み取って取得した画素毎のアナログデータ（Ｒ、Ｇ、Ｂ）をそれぞれ変換したデジタルデータは、以下「白板データ（Ｒ２、Ｇ２、Ｂ２）」という。
【０１０６】
また、読取部６により高解像度で所定数（例えば１０個）の文字を含む１０行の領域を読み取った、画素毎のアナログデータ（Ｒ、Ｇ、Ｂ）をそれぞれ変換したデジタルデータは、以下「原稿データ（Ｒ２、Ｇ２、Ｂ２）」という。
【０１０７】
１個の画素データは、原稿データ（Ｒ１、Ｇ１、Ｂ１）又は原稿データ（Ｒ２、Ｇ２、Ｂ２）は３種データがある。
【０１０８】
上記白板データ（Ｒ１、Ｇ１、Ｂ１）、白板データ（Ｒ２、Ｇ２、Ｂ２）、原稿データ（Ｒ１、Ｇ１、Ｂ１）、原稿データ（Ｒ２、Ｇ２、Ｂ２）は、ＲＡＭ７にそれぞれ入力される。読取部６の詳細な構成については、図７を用いて後述する。
【０１０９】
シェーディング部１５７は、所定の関数式に基づいて演算処理を行う電子回路でなり、シェーディング部１５７は、ＲＡＭ７における白板データを用いて、画素毎の原稿データをシェーディング補正する。
【０１１０】
シェーディング部１５７は、入力された白板データ（Ｒ１、Ｇ１、Ｂ１）を用いてシェーディング補正された原稿データ（Ｒ１、Ｇ１、Ｂ１）は、以下「画像データ（Ｒ１、Ｇ１、Ｂ１）」という。
【０１１１】
また、シェーディング部１５７は、ＲＡＭ７に格納されている前記１０行の領域の原稿データから、前記１０個字の原稿データのみをシェーディング補正する。入力された白板データ（Ｒ２、Ｇ２、Ｂ２）を用いてシェーディング補正された前記１０個字の原稿データ（Ｒ２、Ｇ２、Ｂ２）は、以下「画像データ（Ｒ２、Ｇ２、Ｂ２）」という。なお、１個の画素データは、画像データ（Ｒ、Ｇ、Ｂ）３種データを有している。
【０１１２】
上記のようにしてシェーディング部１５７によりシェーディング補正された画像データ（Ｒ１、Ｇ１、Ｂ１）、画像データ（Ｒ２、Ｇ２、Ｂ２）は、ＲＡＭ７にそれぞれ入力される。
【０１１３】
なお、画像データ（Ｒ１、Ｇ１、Ｂ１）、画像データ（Ｒ２、Ｇ２、Ｂ２）は、トナーセーブ検出モードをオンにして取得したデータである。しかし、トナーセーブ検出モードをオフにして取得した画像データは、以下「画像データ（Ｒ０、Ｇ０、Ｂ０）」という。なお、この画像データ（Ｒ０、Ｇ０、Ｂ０）はＲＡＭ７に入力される。
【０１１４】
明度値算出部８は、ＲＡＭ７から入力された文字領域の画像データ（Ｒ１、Ｇ１、Ｂ１）を用いて、画素毎の明度値Ｖ１ｐｘ（第１種明度値）を算出するものである。明度値算出部８により算出したＶ１ｐｘは、ＲＡＭ７に入力される。
【０１１５】
明度値算出部８は、下記式（１）に基づいて明度を算出する。
Ｖ１ｐｘ＝Ｍａｘ画像データ（Ｒ１、Ｇ１、Ｂ１）    …（１）
ここで、Ｖ１ｐｘの最大値＝２５５（濃度が最小値０になる。）
またＶ１ｐｘの最小値＝０    （濃度が最大値２５５になる。）
すなわち、明度値は濃度と逆の関係がある。
【０１１６】
エッジ検出部３７は、ＲＡＭ７から入力されたＶ１ｐｘを用いて文字領域における各文字のエッジを切り出すものである。
【０１１７】
ここで、エッジ検出部３７は、文字エッジのマッチングパターンまたはＯＣＲ（Ｏｐｔｉｃａｌ  Ｃｈａｒａｃｔｅｒ  Ｒｅｃｏｇｎｉｔｉｏｎ：光学文字認識）ソフトにて文字のエッジの切り出しを行う。エッジ検出部３７により切り出した各字のエッジのＶ１ｐｘはＲＡＭ７に再度入力される。
【０１１８】
ここで、例えば、大きい字や太字の内部の画素は、エッジ検出部３７により切り出した各字のエッジに基づいて、ＲＯＭ１５に格納されている「文字内部算出ファームウェア」というファームウェアにて決められる。例えば、ＲＯＭ１５に格納されている文字抽出ファームウェアは、ＲＡＭ７に格納されている原稿の１ページ上の前記各文字のエッジのＶ１ｐｘに対する画像データ（Ｒ１、Ｇ１、Ｂ１）を用いて、１ページの画像の後端から副走査して、１０行上同色の各１字を抽出する。
【０１１９】
「同色」の字の色を識別する方法は、予め設定された色テーブルを用いて実施する。例えば、黒文字の場合、１個の画素の画像データ（Ｒ１、Ｇ１、Ｂ１）の値は（０、０、０）であり、赤文字の場合、１個の画素の画像データ（Ｒ１、Ｇ１、Ｂ１）の値は（２５５、０、０）である。このように、予め設定された色テーブルを参照して、各画素の画像データ（Ｒ１、Ｇ１、Ｂ１）の値から文字の色を識別できる。
【０１２０】
エッジ検出部３７により抽出された１０個の文字の各文字のエッジのＶ１ｐｘは、第１平均値算出部１８６に入力される。
【０１２１】
また、エッジ検出部３７は、所定数の画像データとしての１０個の文字の画像データ（Ｒ２、Ｇ２、Ｂ２）から、Ｖ１ｐｘと同色であった画像データ（以下では、一種画像データと呼ぶ。）のみを用いて、この１０個の文字の各文字のエッジを再度切り出す機能も有している。すなわち、例えば、Ｖ１ｐｘ＝画像データＧ１の場合、一種画像データが画像データＧ２（一種画像データ＝画像データＧ２）となる。この一種画像データを、以下では、「第２種明度値（Ｖ２ｐｘ）」という。
【０１２２】
第１平均値算出部１８６は、入力された１０個の文字の各字のエッジのＶ１ｐｘを用いて、前記１０個の文字の平均濃度の平均値Ｄａｖを算出するものである。この算出した平均値Ｄａｖは、トナーセーブ検出部５０に入力される。なお、第１平均値算出部１８６の詳細な構成については、図８を用いて後述する。
【０１２３】
第２平均値算出部１８７は、前記１０個の文字の各字のエッジのＶ２ｐｘを用いて、前記１０個の文字の最大濃度の最大濃度平均値Ｄｍａｘ＿ａｖを算出するものである。第２平均値算出部１８７の詳細な構成については、図９を用いて後述する。
【０１２４】
トナーセーブ検出部５０は、入力された平均値Ｄａｖと最大濃度平均値Ｄｍａｘ＿ａｖに対して、平均値Ｄａｖから最大濃度平均値Ｄｍａｘ＿ａｖを引くことで、原稿Ｐの文字にトナーセーブされているか否かを検出するものである。この検出したトナーセーブの情報は、補正部６９に入力される。トナーセーブ検出部５０の詳細な構成については、図１０を用いて後述する。
【０１２５】
補正部６９は、トナーセーブされている文字の画素毎の画像データ（Ｒ１、Ｇ１、Ｂ１）に対して、それぞれ補正処理を行うものである。補正部６９により補正された画像データ（Ｒ１、Ｇ１、Ｂ１）は、以下「補正データ（Ｒ１、Ｇ１、Ｂ１）」という。補正データ（Ｒ１、Ｇ１、Ｂ１）は、ＲＡＭ７に入力される。補正部６９の詳細な構成については、図１２を用いて後述する。
【０１２６】
画像処理部１４は、ＲＡＭ７から入力された画素毎の画像データ（Ｒ０、Ｇ０、Ｂ０）、または、画素毎の補正データ（Ｒ１、Ｇ１、Ｂ１）に対して、ガンマ補正や色変換や圧縮処理等の画像処理を行なうものである。画像処理部１４により処理された画像データ、補正データは、ＲＡＭ７に再度格納される。
【０１２７】
なお、トナーセーブ検出モードのオフ設定又はオン設定の場合の、原稿Ｐの各種画像データの流れの詳細な説明は、図５及び図６を用いて説明する。
【０１２８】
Ｉ／Ｆ部１４６は、プリンタ部１８との通信機能を有するものである。ＣＰＵ５は、Ｉ／Ｆ部１４６を介してプリンタ部１８に命令や画像データ／補正データを送信し、または、プリンタ部１８から命令を受信する。Ｉ／Ｆ部１４６は、通信用のトランシーバーＩＣとレシーバーＩＣで構成されている。
【０１２９】
トランシーバーＩＣは、例えば、ＬＶＤＳ（Ｌｏｗ  ＶｏｌｔａｇｅＤｉｆｆｅｒｅｎｔｉａｌ  Ｓｉｇｎａｌｉｎｇ、低電圧差動信号）トランシーバー及びその通信パスで構成されている。
【０１３０】
レシーバーＩＣは、例えば、ＵＳＢ（Ｕｎｉｖｅｒｓａｌ  Ｓｅｒｉａｌ  Ｂｕｓ）チップ及びその通信パスで構成されている。
【０１３１】
なお、上述したシェーディング部１５７と、明度値算出部８と、エッジ検出部３７と、第１平均値算出部１８６と、第２平均値算出部１８７と、トナーセーブ検出部５０と、補正部６９と、画像処理部１４は、１つ専用のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）で設計されてもよい。
【０１３２】
プリンタ部１８は、Ｉ／Ｆ部１４６から受信した画像データ／補正データ、または、パーソナルコンピュータ（以下、「ＰＣ」という。）１９から受信した印刷データをそれぞれ印刷する機能を有する。プリンタ部１８の構成は、種々の構成を備えるものを適用することができる。
【０１３３】
例えば、プリンタ部１８は、主に、Ｉ／Ｆ部１４６との通信用のＩ／Ｆ部１５８と、ＰＣ１９との通信用のＩ／Ｆ部１５９と、エンジン制御部１４４と、画像処理部１６０と、高圧電源１４２と、低圧電源１６１等を有する。
【０１３４】
Ｉ／Ｆ部１５９は、通信チップ及びその通信パスで構成される。この通信チップは、例えば、ＵＳＢチップ、または、ＬＡＮ（Ｌｏｃａｌ  Ａｒｅａ  Ｎｅｔｗｏｒｋ：ローカル・エリア・ネットワーク）チップを用いることができる。エンジン制御部１４４は、図２のホッピングモータ９５、レジストモータ１０５、ベルトモータ１３０、定着モータ１１４、図示しないリフトアップモータ、ＬＥＤヘッド１３１、１３２、１３３、１３４を制御する機能を有している。画像処理部１６０は、画像読取装置２またはＰＣ１９から入力した画像データ／補正データ／印刷データに対して画像処理を行なう機能を有している。画像処理部１６０により、伸長／圧縮や色変換や２値化変換やガンマ補正等の画像処理を実施する。
【０１３５】
ＰＣ１９は、インターフェースケーブル１４５を介してＩ／Ｆ部１５９と接続されている。インターフェースケーブル１４５は、例えば、ＬＡＮ／ＵＳＢ等の通信ケーブルを用いることができる。
【０１３６】
（Ａ−１−６）トナーセーブ検出に係る画像データの流れ
図５は、実施形態に係るトナーセーブ検出モードがＯＦＦ設定の場合の画像データの流れを示す図である。
【０１３７】
図５に示すように、画素毎の画像データ（Ｒ０、Ｇ０、Ｂ０）は、シェーディング部１５７からＲＡＭ７に入力する。また、画像データ（Ｒ０、Ｇ０、Ｂ０）は、ＲＡＭ７から画像処理部１４に入力し、画像処理部１４により、ガンマ補正や色変換や圧縮処理等の画像処理なされる。画像処理部１４により画像処理された画像データ（Ｒ０、Ｇ０、Ｂ０）はＲＡＭ７に再入力される。
【０１３８】
最後に、ＲＡＭ７から処理された画像データ（Ｒ０、Ｇ０、Ｂ０）は、プリンタ部１８またはＰＣ１９に与えられる。
【０１３９】
図６は、実施形態に係るトナーセーブ検出モードがＯＮ設定の場合の画像データの流れを示す図である。
【０１４０】
センサユニット８７により低解像度で読み取られた画素毎の画像データに流れを、図６（Ａ）及び図６（Ｂ）を用いて説明する。
【０１４１】
図６（Ａ）に示すように、センサユニット８７により低解像度で読み取られた画素毎の画像データ（Ｒ１、Ｇ１、Ｂ１）は、シェーディング部１５７からＲＡＭ７に入力する。画像データ（Ｒ１、Ｇ１、Ｂ１）は、ＲＡＭ７から明度値算出部８に入力され、明度値算出部８により画素毎のＶ１ｐｘが算出される。明度値算出部８により算出された画素毎のＶ１ｐｘは、ＲＡＭに入力され、画素毎のＶ１ｐｘは、ＲＡＭ７からエッジ検出部３７に入力する。
【０１４２】
エッジ検出部３７では、同色の１０個の文字の各文字のエッジのＶ１ｐｘが検出される。そして、各文字のエッジのＶ１ｐｘはＲＡＭ７に入力する。同色の１０個の文字のエッジのＶ１ｐｘは、ＲＡＭ７から第１平均値算出部１８６に入力し、第１平均値算出部１８６により平均値Ｄａｖが算出される。そして、平均値ＤａｖはＲＡＭ７からトナーセーブ検出部５０に入力する。
【０１４３】
図６に示すように、センサユニット８７により高解像度で読み取られた、同色１０個の各文字の画素毎の画像データ（Ｒ２、Ｇ２、Ｂ２）は、シェーディング部１５７からＲＡＭ７に入力する。ＲＡＭ７に格納されている画像データ（Ｒ２、Ｇ２、Ｂ２）から各文字のＶ２ｐｘが、エッジ検出部３７に入力する。
【０１４４】
エッジ検出部３７では、Ｖ１ｐｘと同色であった一種画像データのみを用いて、１０個の各文字のエッジを再度切り出し、各文字のエッジのＶ２ｐｘを検出する。各文字のエッジのＶ２ｐｘは、ＲＡＭ７に入力する。
【０１４５】
同色の１０個の文字のエッジのＶ２ｐｘは、ＲＡＭ７から第２平均値算出部１８７に入力し、第２平均値算出部１８７により最大濃度平均値Ｄｍａｘ＿ａｖが算出される。そして、最大濃度平均値Ｄｍａｘ＿ａｖは、第２平均値算出部１８７からトナーセーブ検出部５０に入力する。
【０１４６】
トナーセーブ検出部５０では、入力された平均値Ｄａｖと最大濃度平均値Ｄｍａｘ＿ａｖとに対して、平均値Ｄａｖから最大濃度平均値Ｄｍａｘ＿ａｖを引くことで、原稿Ｐの文字にトナーセーブされているか否かを検出する。
【０１４７】
そして、トナーセーブ有無の検出情報が、トナーセーブ検出部５０から補正部６９に入力する。
【０１４８】
ここで、トナーセーブ有りの検出情報が補正部６９に入力された場合に、ＲＡＭ７に格納されている画素毎の画像データ（Ｒ１、Ｇ１、Ｂ１）が補正部６９にも入力される。そして、画素毎の補正データ（Ｒ１、Ｇ１、Ｂ１）は、図６（Ｂ）に示すように、補正部６９からＲＡＭ７に入力し、補正データ（Ｒ１、Ｇ１、Ｂ１）が、ＲＡＭ７から画像処理部１４に入力される。そして、画像処理部１４により所定の画像処理された補正データ（Ｒ１、Ｇ１、Ｂ１）がＲＡＭ７に再入力する。
【０１４９】
一方、トナーセーブ無しの検出情報が補正部６９に入力された場合に、図６（Ｂ）に示すように、ＲＡＭ７に格納されている画素毎の画像データ（Ｒ１、Ｇ１、Ｂ１）が画像処理部１４に入力する。
【０１５０】
最後に、ＲＡＭに格納されている補正データ（Ｒ１、Ｇ１、Ｂ１）又は画像データ（Ｒ１、Ｇ１、Ｂ１）は、ＲＡＭ７からプリンタ部１８又はＰＣ１９に与えられる。
【０１５１】
（Ａ−１−７）読取部６の詳細な構成
図７は、実施形態に係る読取部６の詳細な構成を示すブロック図である。図７において、読取部６は、センサユニット８７上のＣＩＳ１４７と、ＣＩＳ１４７を制御する制御部１５１と、ＬＥＤ光源１５０と、ＬＥＤ光源１５０を制御する光源制御部１５２と、アナログ／デジタル変換回路（Ａｎａｌｏｇ  Ｆｒｏｎｔ  Ｅｎｄ、以下「ＡＦＥ」と呼ぶ。）１５３とを有する。
【０１５２】
制御部１５１は、主走査方向ＸにおけるＣＩＳ１４７の読取解像度を制御するものである。読取解像度は、例えば、３００／６００／１２００ｄｐｉ（ｄｏｔｓ  ｐｅｒ  ｉｎｃｈ）とする。
【０１５３】
光源制御部１５２は、カラーモード又はモノクロモードに応じて、ＬＥＤ光源１５０を制御するものである。より具体的には、カラーモードの場合、光源制御部１５２は、カラーモードで、ＬＥＤ光源１５０のＲＬＥＤ１と、ＧＬＥＤ１と、ＢＬＥＤ１を、順次に点灯させるよう制御する。また、モノクロモードの場合、光源制御部１５２は、ＬＥＤ光源１５０のＧＬＥＤ１のみを点灯させるよう制御する。
【０１５４】
ＡＦＥ１５３は、ＣＩＳ１４７から入力したアナログデータを、デジタルデータに変換するものである。このＡＦＥ１５３により変換されたデジタルデータは、ＲＡＭ７に与えられる。
【０１５５】
（Ａ−１−８）第１平均値算出部１８６の詳細な構成
図８は、実施形態に係る第１平均値算出部１８６の詳細な構成を示すブロック図である。
【０１５６】
図８において、第１平均値算出部１８６は、第１平均濃度算出部１９３と、第２平均濃度算出部１９４とを有する。
【０１５７】
第１平均濃度算出部１９３は、下記式（２）に基づいて、１０個の各文字の平均濃度値Ｖ１ｐｘ＿ａｖを算出する。また、第１平均濃度算出部１９３は、算出された平均濃度値Ｖ１ｐｘ＿ａｖを、第２平均濃度算出部１９４に与える。
Ｖ１ｐｘ＿ａｖ＝（Ｖ１ｐｘ１＋・・・＋Ｖ１ｐｘｍ）／ｍ    …（２）
ここで、Ｖ１ｐｘ１は、文字毎のエッジにおける１番目画素の明度値を示す。Ｖ１ｐｘｍは、文字毎のエッジにおけるｍ番目画素の明度値を示す。また、ｍは、文字毎のエッジにおける全画素の数を示す。
【０１５８】
第２平均濃度算出部１９４は、下記式（３）に基づいて、１０個の各文字の平均濃度値Ｖ１ｐｘ＿ａｖを用いて、１０個の文字の平均濃度の平均値Ｄａｖを算出する。
Ｄａｖ＝（Ｖ１ｐｘ＿ａｖ１＋・・・＋Ｖ１ｐｘ＿ａｖｎ）／ｎ  …（３）
ここで、Ｖ１ｐｘ＿ａｖ１は、１番目の文字の平均濃度値であり、式（２）による算出されるものである。また、Ｖ１ｐｘ＿ａｖｎはｎ番目の文字の平均濃度値であり、式（２）により算出されるものである。また、ｎは、高解像度で読み取る文字数であり、この実施形態では、ｎ＝１０の場合を例示する。
【０１５９】
なお、第１平均値算出部１８６がＶ１ｐｘ＿ａｖ、Ｄａｖを算出するために、上記説明のように、第１平均値算出部１８６がハードウェアとしての電子回路のみで実現する場合を例示したが、ファームウェアのみでも実現する可能もある。または、ハードウェアとファームウェアを合わせて実現することも可能である。
【０１６０】
（Ａ−１−９）第２平均値算出部１８７の詳細な構成
図９は、実施形態に係る第２平均値算出部１８７の詳細な構成を示すブロック図である。
【０１６１】
図９において、第２平均値算出部１８７は、最小値算出部１９５と、平均値算出部１９６とを有する。
【０１６２】
最小値算出部１９５は、１個の文字のエッジの全画素のＶ２ｐｘのうち、最小値（すなわち、最大濃度値Ｄｍａｘ）を算出するものである。最小値算出部１９５は、算出した各文字の最大濃度値Ｄｍａｘを、平均値算出部１９６に与える。
【０１６３】
平均値算出部１９６は、入力された１０個の各文字の最大濃度値Ｄｍａｘを用いて、最大濃度平均値Ｄｍａｘ＿ａｖを算出するものである。
【０１６４】
平均値算出部１９６は、下記式（４）に基づいて、最大濃度平均値Ｄｍａｘ＿ａｖを算出する。
Ｄｍａｘ＿ａｖ＝（Ｄｍａｘ１＋・・・＋Ｄｍａｘｎ）／ｎ    …（４）
ここで、Ｄｍａｘ１は、１番目の文字の最大濃度値を示す。また、Ｄｍａｘｎは、ｎ番目の文字の最大濃度値を示す。また、ｎは、文字数を示し、この実施形態の場合、ｎ＝１０の場合を例示する。
【０１６５】
なお、第２平均値算出部１８７がＤｍａｘ、Ｄｍａｘ＿ａｖを算出するために、上記説明のように、第２平均値算出部１８７がハードウェアとしての電子回路のみで実現する場合を例示したが、ファームウェアのみでも実現する可能もある。または、ハードウェアとファームウェアを合わせて実現することも可能である。
【０１６６】
（Ａ−１−１０）トナーセーブ検出部５０の詳細な構成
図１０は、実施形態に係るトナーセーブ検出部５０の詳細な構成を示すブロック図である。
【０１６７】
図１０において、実施形態に係るトナーセーブ検出部５０は、減算器１９８と、比較器１９９と、閾値算出部２００とを有する。
【０１６８】
減算器１９８は、下記式（５）に基づいて、ＤａｖからＤｍａｘ＿ａｖを引く減算処理を行う。減算器１９８は、算出した減算結果Ｚを、比較器１９９に与える。
Ｚ＝Ｄａｖ−Ｄｍａｘ＿ａｖ    …（５）
【０１６９】
閾値算出部２００は、下記式（６）に基づいて、最大濃度平均値Ｄｍａｘ＿ａｖから閾値ｔｈ１をするものである。閾値算出部２００は、算出した閾値ｔｈ１を比較器１９９に与える。
ｔｈ１＝Ｄｍａｘ＿ａｖ×所定値    …（６）
ここで、所定値は、例えば、１０％とする。
【０１７０】
比較器１９９は、減算器１９８からの減算結果Ｚと、閾値算出部２００からの閾値ｔｈ１とを比較し、文字にトナーセーブされているか否かを検出するものである。
【０１７１】
ここで、トナーセーブの有無を検出する方法を説明する。例えば、比較器１９９は、減算結果Ｚと閾値ｔｈ１との比較結果に基づいて、トナーセーブの有無を検出する。
【０１７２】
図１１は、トナーセーブの有無検出に係る検出条件を示す図である。すなわち、比較器１９９は、減算結果Ｚと閾値ｔｈ１との比較結果に基づいて、減算結果Ｚ＞閾値ｔｈ１の場合、トナーセーブがされている（トナーセーブ有り）と判断する。一方、比較器１９９は、減算結果Ｚと閾値ｔｈ１との比較結果に基づいて、減算結果Ｚ≦閾値ｔｈ１の場合、トナーセーブがされていない（トナーセーブ無し）と判断する。
【０１７３】
なお、トナーセーブ検出部５０によるトナーセーブの有無の検出方法は、上記説明のように、ハードウェアとしての電子回路のみで実現する場合を例示したが、ファームウェアのみでも実現する可能もある。または、ハードウェアとファームウェアを合わせて実現することも可能である。
【０１７４】
（Ａ−１−１１）補正部６９の詳細な構成
図１２は、実施形態に係る補正部６９の詳細な構成を示すブロック図である。
【０１７５】
図１２において、補正部６９は、セーブ率算出部２０１と、Ｒ色補正部２０２と、Ｇ色補正部２０３と、Ｂ色補正部２０４とを有する。
【０１７６】
セーブ率算出部２０１は、下記式（７）に基づいて、入力された平均値Ｄａｖと最大濃度平均値Ｄｍａｘ＿ａｖとを用いて、文字のトナーセーブ率Ｔｓａを算出するものである。また、セーブ率算出部２０１は、算出した文字のトナーセーブ率Ｔｓａを、Ｒ色補正部２０２とＧ色補正部２０３とＢ色補正部２０４とのそれぞれに与える。
Ｔｓａ＝（Ｄａｖ−Ｄｍａｘ＿ａｖ）／Ｄａｖ    …（７）
【０１７７】
Ｒ色補正部２０２、Ｇ色補正部２０３及びＢ色補正部２０４の構成は、基本的には同一であるため、ここでは、Ｒ色補正部２０２、Ｇ色補正部２０３及びＢ色補正部２０４を代表して、Ｒ色補正部２０２の詳細な処理を説明する。
【０１７８】
Ｒ色補正部２０２は、下記式（８）に基づいて、セーブ率算出部２０１から入力されたトナーセーブ率Ｔｓａを用いて、画素毎の画像データＲ１を補正するものである。
補正データＲ１＝当該画素の画像データＲ１×（１−Ｔｓａ）…（８）
【０１７９】
ここで、Ｒ色補正部２０２、Ｇ色補正部２０３及びＢ色補正部２０４による画像補正方法を説明する。
【０１８０】
図１３は、実施形態に係る補正部６９の画像補正方法を説明する説明図である。
【０１８１】
図１３では、Ｒ色補正部２０２、Ｇ色補正部２０３及びＢ色補正部２０４にて、文字のエッジ／内部の画素毎の画像データ（Ｒ１，Ｇ１，Ｂ１）に対して画像補正方法を示している。
【０１８２】
また、図１３に示すように、画素毎の画像データ（Ｒ１，Ｇ１，Ｂ１）に対する補正を実施し、画素毎の補正データは、次のようになる。
【０１８３】
補正データＲ１＝当該画素の画像データＲ１×（１−Ｔｓａ）
補正データＧ１＝当該画素の画像データＧ１×（１−Ｔｓａ）
補正データＢ１＝当該画素の画像データＢ１×（１−Ｔｓａ）
以上の補正方法は、トナーセーブされている黒文字／カラー文字を全て適用する。
【０１８４】
Ｇ色補正部２０３は、Ｒ色補正部２０２と同様に、画素毎の画像データＧ１に対して補正する。また、Ｂ色補正部２０４は、画素毎の画像データＢ１に対して補正する。
【０１８５】
なお、補正部６９による補正方法は、上記説明のように、ハードウェアとしての電子回路のみで実現する場合を例示したが、ファームウェアのみでも実現する可能もある。または、ハードウェアとファームウェアを合わせて実現することも可能である。
【０１８６】
（Ａ−２）実施形態の動作
次に、実施形態に係る複合機１においてカラーコピーをする場合のトナーセーブ検出処理及び補正処理の動作を説明する。
【０１８７】
図１４は、実施形態に係る複合機においてカラーコピーをする場合のトナーセーブ検出処理及び補正処理を示すフローチャートである。
【０１８８】
ユーザにより原稿Ｐが原稿台８４に載置され、ユーザにより操作パネル１６上のトナーセーブ検出モードがＯＮされる。その後、ユーザにより操作パネル１６上のカラーコピーボタンが押下されて、以下の動作が開始する。
【０１８９】
（ステップＳ１）センサユニット８７は、低解像度で白基準板８５を読み取り、白基準データに基づいてシェーディング補正を行う。そして、センサユニット８７は低解像度で原稿Ｐを読み取り、画像データ（Ｒ１、Ｇ１、Ｂ１）が取得される。
【０１９０】
（ステップＳ２）明度値算出部８により文字のＶ１ｐｘが算出し、エッジ検出部３７により算出したＶ１ｐｘを用いて各字のエッジのＶ１ｐｘを切り出す。
【０１９１】
（ステップＳ３）文字抽出ファームウェアにて、１０行上の同色の各１字を抽出する。
【０１９２】
（ステップＳ４）第１平均値算出部１８６により１０個の文字の平均濃度の平均値Ｄａｖが算出された。
【０１９３】
（ステップＳ５）センサユニット８７は、高解像度で、固定走行距離Ｌ１を走行しながら白基準板１９７を読み取る。そして、センサユニット８７は、高解像度で、固定走行距離Ｌ３を走行しながら、前記１０行を読み取り、前記１０個字の画像データ（Ｒ２、Ｇ２、Ｂ２）が取得される。
【０１９４】
（ステップＳ６）エッジ検出部３７によりＶ２ｐｘを用いて前記１０個字の各字のエッジのＶ２ｐｘを切り出す。
【０１９５】
（ステップＳ７）第２平均値算出部１８７により１０個の文字の最大濃度の平均値Ｄｍａｘ＿ａｖが算出される。
【０１９６】
（ステップＳ８）トナーセーブ検出部５０により前記１０個の文字にトナーセーブされているか否かが検出される。
【０１９７】
（ステップＳ９）前記１０個の文字にトナーセーブされている場合、処理はＳ１０に移行する。
【０１９８】
一方、前記１０個の文字にトナーセーブがされていない場合、処理はＳ１１に移行する。
【０１９９】
（ステップＳ１０）補正部６９によりトナーセーブされている文字の画像データ（Ｒ１、Ｇ１、Ｂ１）を補正して、補正データ（Ｒ１、Ｇ１、Ｂ１）が取得される。
【０２００】
（ステップ１１）画像処理部１４により補正データ（Ｒ１、Ｇ１、Ｂ１）、または、トナーセーブされていない画像データ（Ｒ１、Ｇ１、Ｂ１）に対して画像処理が行なわれる。
【０２０１】
（ステップ１２）プリンタ部１８により補正データ（Ｒ１、Ｇ１、Ｂ１）または画像データ（Ｒ１、Ｇ１、Ｂ１）を印刷用データＫ、Ｙ、Ｍ、Ｃに変換し、それぞれＬＥＤヘッド１３１、１３２、１３３、１３４に入力する。画像形成ユニットＫ、Ｙ、Ｍ、Ｃでは、Ｋ、Ｙ、Ｍ、Ｃのそれぞれのトナー画像が用紙９３上に転写される。そして、カラーのトナー画像が用紙９３上に形成させる。定着ユニット１１５により、用紙９３上のカラーのトナー画像を定着し、定着後の用紙９３がスタッカ１２１まで搬送してカラーコピーの動作が終了する。
【０２０２】
（Ａ−３）実施形態に係る効果
以上のように、実施形態によれば、操作パネル１６のトナーセーブ検出モードをＯＮさせて、カラー原稿Ｐをカラーモードの低解像度で読み取り、エッジ検出部３７にて文字領域の各画素の明度値Ｖ１ｐｘから文字毎のエッジを切り出する。その切り出した全て文字において、ＲＯＭ１５に格納されている文字抽出ファームウェアにて原稿Ｐの画像の後端から、１０行上の同色の各１字を抽出する。その抽出した１０個の各文字のエッジのＶ１ｐｘを用いて第１平均値算出部１８６が前記１０個の文字の平均濃度の平均値Ｄａｖを算出する。
【０２０３】
そして、センサユニット８７が高解像度で前記１０行を読み取って前記１０個の文字のＶ２ｐｘを取得する。エッジ検出部３７により取得されたＶ２ｐｘから文字毎のエッジを切り出す。その切り出した各文字のエッジのＶ２ｐｘを用いて、第２平均値算出部１８７が前記１０個の文字の最大濃度の平均値Ｄｍａｘ＿ａｖを算出する。
【０２０４】
トナーセーブ検出部５０が、ＤａｖからＤｍａｘ＿ａｖを引いた減算結果と閾値ｔｈ１とを比較し、その比較結果に基づいて文字にトナーセーブがされている否かを検出する。
【０２０５】
以上のように、原稿Ｐ上の１０個の文字でトナーセーブ検出を実施する。低解像度で原稿全体を読み取るため、トナーセーブ検出を実施しても、原稿全体の画像読取速度及び画像処理速度は、高解像度で原稿全体を読み取ってトナーセーブ検出を実施する場合よりも速くなるという効果が得られる。
【０２０６】
また、この実施形態によれば、トナーセーブされていると検出された場合に文字毎で画像補正を実施する。そのため、普通な原稿の画像と相当レベル、見栄えのよい補正の原稿画像も得られるという効果がある。
【０２０７】
（Ｂ）他の実施形態
上述した実施形態においても種々の変形実施形態を言及したが、本発明は、以下の変形実施形態にも適用可能である。
【０２０８】
（Ｂ−１）実施形態の画像読取装置のイメージセンサユニットは、ＣＩＳタイプを例で説明したが、ＣＣＤ（Ｃｈａｒｇｅ  Ｃｏｕｐｌｅｄ  Ｄｅｖｉｃｅ）タイプでも適用が可能である。
【０２０９】
（Ｂ−２）実施形態の画像読取装置２では、トナーセーブ検出にＦＢ４のみで説明したが、ＦＢ４と自動原稿送り部（Ａｕｔｏｍａｔｉｃ  Ｄｏｃｕｍｅｎｔ  Ｆｅｅｄｅｒ、以下「ＡＤＦ」という。）を有している画像読取装置において、ＦＢ４と同じ検出方法でＡＤＦでも適用が可能である。
【０２１０】
（Ｂ−３）実施形態では、画像読取装置２と画像形成装置３とで構成されている複合機１で説明したが、画像読取装置２のような単なる画像読取装置（例えば、スキャナ）や画像読取装置２によってそれぞれ構成するファクシミリ装置や複写装置にも適用が可能である。
【０２１１】
（Ｂ−４）実施形態では、原稿Ｐの後ろ端とホームセンサ１８８の間に白基準板１９７が配置されて、トナーセーブ検出に高解像度にて原稿Ｐ上１０個字を読み取る前に白基準板１９７を先に読み取ってシェーディング用のデータを取得することを説明したが、白基準板１９７を無くし、高解像度にて先に原稿Ｐ上１０個字を読み取り、そして、白基準板８５を読み取ってもシェーディング用のデータを取得することも可能である。
【符号の説明】
【０２１２】
１…複合機、２…画像読取装置、３…画像形成装置、１８１…駆動部、６…読取部、１５７…シェーディング部、８…明度値算出部、３７…エッジ検出部、１８６…第１平均値算出部、１８７…第２平均値算出部、５０…トナーセーブ検出部、６９…補正部、１４…画像処理部、１６…操作パネル、７…ＲＡＭ、５…ＣＰＵ、１９０…センサ部、１５…ＲＯＭ、１４６…Ｉ／Ｆ部、１８…プリンタ部、４…フラットベッド（ＦＢ）部、８４…原稿台、８５・・白基準板、８６…コンタクトガラス、８９…プーリ、９０…搬送ベルト、９１…モータ、８７…センサユニット、８８及び１８８…ホームセンサ。
【図１】
2017017393.tif 000003
【図２】
2017017393.tif 000004
【図３】
2017017393.tif 000005
【図４】
2017017393.tif 000006
【図５】
2017017393.tif 000007
【図６】
2017017393.tif 000008
【図７】
2017017393.tif 000009
【図８】
2017017393.tif 000010
【図９】
2017017393.tif 000011
【図１０】
2017017393.tif 000012
【図１１】
2017017393.tif 000013
【図１２】
2017017393.tif 000014
【図１３】
2017017393.tif 000015
【図１４】
2017017393.tif 000016